(57)【要約】【課題】より正確に微小な異物の有無を検出することができる端面検査方法および端面検査装置を提供する。【解決手段】端面検査装置１は、光ファイバ９０の端面９１を検査する装置であって、プローブ光用光源１１、プローブ光用光源１２、放射光検出センサ１３、観察用光源２１、観察用撮像部２２、解析部３０、レンズ４１〜４４、および、光フィルタ５１，５２を備える。プローブ光用光源１１またはプローブ光用光源１２から出力されたプローブ光は、端面９１を通過して光ファイバ９０に対して入射または出射するように端面９１に照射される。この端面９１へのプローブ光の照射に伴って発生する放射光の強度または分布が放射光検出センサ１３により検出される。これにより端面９１の温度変化が検出され、その温度変化検出結果に基づいて端面９１が解析部３０により検査される。【選択図】図１
2009128252.tif 000002
【特許請求の範囲】
【請求項１】
光を透過または反射させる光学部品の端面を検査する方法であって、
前記端面にプローブ光を照射し、前記端面の温度変化を検出して、その温度変化検出結果に基づいて前記端面を検査する、ことを特徴とする端面検査方法。
【請求項２】
前記端面への前記プローブ光の照射に伴って発生する放射光を検出する放射光検出センサを用いて前記端面の温度変化を検出することを特徴とする請求項１記載の端面検査方法。
【請求項３】
前記プローブ光および前記放射光のうち前記放射光を選択的に前記放射光検出センサにより検出することを特徴とする請求項２記載の端面検査方法。
【請求項４】
前記端面を通過して前記光学部品に対して入射または出射するように前記プローブ光を前記端面に照射することを特徴とする請求項１記載の端面検査方法。
【請求項５】
前記プローブ光および前記放射光の何れの波長とも異なる波長の観察光を前記端面に照射して前記端面を観察することを特徴とする請求項１記載の端面検査方法。
【請求項６】
前記観察光を前記端面に照射して前記端面を観察することにより前記端面への前記プローブ光の照射の位置を確認することを特徴とする請求項５記載の端面検査方法。
【請求項７】
光を透過または反射させる光学部品の端面を検査する装置であって、
前記端面に照射すべきプローブ光を出力するプローブ光用光源と、
前記プローブ光が照射された前記端面の温度変化を検出する温度変化検出部と、
前記温度変化検出部による温度変化検出結果に基づいて前記端面を検査する解析部と、
を備えることを特徴とする端面検査装置。
【請求項８】
前記温度変化検出部が、前記端面への前記プローブ光の照射に伴って発生する放射光を検出する放射光検出センサを含む、ことを特徴とする請求項７記載の端面検査装置。
【請求項９】
前記プローブ光および前記放射光のうち前記放射光を選択的に前記放射光検出センサに入射させる選択部を更に備えることを特徴とする請求項８記載の端面検査装置。
【請求項１０】
前記プローブ光用光源が、前記端面を通過して前記光学部品に対して入射または出射するように前記プローブ光を前記端面に照射する、ことを特徴とする請求項７記載の端面検査装置。
【請求項１１】
前記プローブ光および前記放射光の何れの波長とも異なる波長の観察光を前記端面に照射する観察用光源と、
前記観察用光源により前記観察光が照射された前記端面を観察する観察用撮像部と、
を更に備えることを特徴とする請求項７記載の端面検査装置。
【請求項１２】
前記解析部が、前記観察用撮像部による観察結果に基づいて前記端面への前記プローブ光の照射の位置を確認する、ことを特徴とする請求項１１記載の端面検査装置。
【発明の詳細な説明】
【技術分野】
【０００１】
本発明は、光を透過または反射させる光学部品の端面を検査する方法および装置に関するものである。
【背景技術】
【０００２】
光を透過または反射させる光学部品の端面に異物が付着していると、その端面に高いパワーの光が入射されたときに、その異物が劣化・変性などして、その端面における透過率または反射率が変動したり、或いは、その端面が破損したりする場合がある。したがって、光学部品の端面を検査して異物の有無を検出し、もし異物が付着していると判定された場合には、その端面を清浄化する必要がある。
【０００３】
光を透過または反射させる光学部品の端面を検査する技術としては、特許文献１〜５に開示されたものが知られている。これらの文献に開示された技術では、光学部品（例えば光コネクタ）の端面が撮像されて、その撮像により得られた画像が解析されることで、その端面が検査される。
【特許文献１】特公平７−１２１９号公報
【特許文献２】特許第２５０９７７２号公報
【特許文献３】特許第２５１４２８８号公報
【特許文献４】特許第２６２５５９９号公報
【特許文献５】特許第３７９７４１９号公報
【発明の開示】
【発明が解決しようとする課題】
【０００４】
しかしながら、特許文献１〜５に開示された技術では、光吸収や反射が小さい異物を検出することは困難であり、また、極微小な異物を検出することも困難である。したがって、実際には端面に異物が付着していても、端面に異物が付着していないとの検査結果が得られる場合がある。
【０００５】
本発明は、上記問題点を解消する為になされたものであり、より正確に微小な異物の有無を検出することができる端面検査方法および端面検査装置を提供することを目的とする。
【課題を解決するための手段】
【０００６】
本発明に係る端面検査方法は、光を透過または反射させる光学部品の端面を検査する方法であって、端面にプローブ光を照射し、端面の温度変化を検出して、その温度変化検出結果に基づいて端面を検査する、ことを特徴とする。
【０００７】
本発明に係る端面検査方法は、端面へのプローブ光の照射に伴って発生する放射光を検出する放射光検出センサを用いて端面の温度変化を検出するのが好適である。また、本発明に係る端面検査方法は、プローブ光および放射光のうち放射光を選択的に放射光検出センサにより検出するのが好適である。
【０００８】
本発明に係る端面検査方法は、端面を通過して光学部品に対して入射または出射するようにプローブ光を端面に照射するのが好適である。
【０００９】
本発明に係る端面検査方法は、プローブ光および放射光の何れの波長とも異なる波長の観察光を端面に照射して端面を観察するのが好適である。また、本発明に係る端面検査方法は、観察光を端面に照射して端面を観察することにより端面へのプローブ光の照射の位置を確認するのが好適である。
【００１０】
本発明に係る端面検査装置は、光を透過または反射させる光学部品の端面を検査する装置であって、端面に照射すべきプローブ光を出力するプローブ光用光源と、プローブ光が照射された端面の温度変化を検出する温度変化検出部と、温度変化検出部による温度変化検出結果に基づいて端面を検査する解析部と、を備えることを特徴とする端面検査装置。
【００１１】
本発明に係る端面検査装置は、温度変化検出部が、端面へのプローブ光の照射に伴って発生する放射光を検出する放射光検出センサを含むのが好適である。また、本発明に係る端面検査装置は、プローブ光および放射光のうち放射光を選択的に放射光検出センサに入射させる選択部を更に備えるのが好適である。
【００１２】
本発明に係る端面検査装置は、プローブ光用光源が、端面を通過して光学部品に対して入射または出射するようにプローブ光を端面に照射するのが好適である。
【００１３】
本発明に係る端面検査装置は、プローブ光および放射光の何れの波長とも異なる波長の観察光を端面に照射する観察用光源と、観察用光源により観察光が照射された端面を観察する観察用撮像部と、を更に備えるのが好適である。また、本発明に係る端面検査装置は、解析部が、観察用撮像部による観察結果に基づいて端面へのプローブ光の照射の位置を確認するのが好適である。
【発明の効果】
【００１４】
本発明に係る端面検査方法または端面検査装置は、より正確に微小な異物の有無を検出することができる。
【発明を実施するための最良の形態】
【００１５】
以下、添付図面を参照して、本発明を実施するための最良の形態を詳細に説明する。なお、図面の説明において同一の要素には同一の符号を付し、重複する説明を省略する。
【００１６】
図１は、本実施形態に係る端面検査装置１の構成を示す図である。この図に示される端面検査装置１は、光学部品９０の端面９１を検査する装置である。以下では、光学部品９０として光ファイバを想定し、その光ファイバ９０の一方の端面９１を検査する場合について説明する。光ファイバ９０は、外部から端面９１に到達した光を内部へ透過させて導波させ、内部から導波して来て端面９１に到達した光を外部へ透過させ、また、何れの場合にも端面９１に到達した光の一部を端面９１で反射させる。端面検査装置１は、プローブ光用光源１１、プローブ光用光源１２、放射光検出センサ１３、観察用光源２１、観察用撮像部２２、解析部３０、レンズ４１〜４４、および、光フィルタ５１，５２を備える。
【００１７】
プローブ光用光源１１およびプローブ光用光源１２それぞれは、端面９１に照射すべきプローブ光を出力する。プローブ光用光源１１から出力されるプローブ光は、レンズ４１，光フィルタ５２および光フィルタ５１を通過して、光ファイバ９０の端面９１へ照射される。プローブ光用光源１２から出力されるプローブ光は、レンズ４２を経て、光ファイバ９０の他方の端面９２を通過して光ファイバ９０内に入力され、光ファイバ９０内を導波した後に端面９１へ照射される。
【００１８】
すなわち、プローブ光用光源１１およびプローブ光用光源１２それぞれは、端面９１を通過して光ファイバ９０に対して入射または出射するようにプローブ光を端面９１に照射する。なお、端面９１を検査する際には、プローブ光用光源１１およびプローブ光用光源１２のうち一方が用いられる。
【００１９】
プローブ光用光源１１およびプローブ光用光源１２それぞれから出力されるプローブ光は、赤外域の波長であってもよいし、可視域の波長であってもよい。想定される異物による吸収率が高い波長を用いることで測定の感度を高く維持することができる。また、放射光として検出する波長とプローブ光の波長との差を大きくとることによって、フィルタ５１によるプローブ光と放射光との分離が容易となる。例えば、赤外波長領域の放射光を検出する場合、プローブ光は可視波長領域が好適である。なお、フィルタ５１によるプローブ光と放射光との分離が不十分な場合、さらに、プローブ光を遮断するフィルタを検出器１３の手前に配置しても良い。また、端面９１に照射されるプローブ光のパワーは、例えばコア径１００μｍの面積当たり１Ｗ程度以上であるのが好適である。端面９１に異物が付着している場合に、端面９１にプローブ光が照射されると、異物が光エネルギーを吸収して発熱して、その発熱した異物から放射光が発生する。
【００２０】
放射光検出センサ１３は、プローブ光が照射された端面９１の温度変化を検出する温度変化検出部として作用する。すなわち、放射光検出センサ１３は、端面９１へのプローブ光の照射に伴って発生し光フィルタ５１で反射されレンズ４３を経て到達した放射光を検出する。放射光検出センサ１３が検出する放射光の波長は、プローブ光の波長と異なり、例えば１.５５μｍ帯または１.３μｍ帯である。なお、このような温度変化検出部としては、非接触式のものが用いられるのが好適であるが、熱電対や測温抵抗体などの接触式のものが用いられてもよい。
【００２１】
放射光検出センサ１３は、到達する放射光の強度を検出するものであってもよい。この場合、端面９１に異物が付着していないときと比較して、端面９１に異物が付着しているときには、端面９１から放射される放射光の強度が大きいので、放射光検出センサ１３により検出される放射光強度に基づいて、端面９１における異物付着の有無が検査され得る。この際、プローブ光の強度を時間的に変化させながら、放射光強度の時間変化、即ち、プローブ光の強度の時間変化に呼応する放射光強度の時間変化を解析することにより、異物付着をより正確に検出することが出来る。
【００２２】
また、放射光検出センサ１３は、端面９１において発生する放射光の強度分布を撮像するものであってもよい。この場合、端面９１に異物が付着しているときには、その異物および近傍における放射光強度が他の領域における放射光強度より大きいので、放射光検出センサ１３により検出される放射光強度分布に基づいて、端面９１における異物付着の有無が検査され得る。より具体的には、放射光強度の面内分布関数の微分値、あるいは、放射光強度の面内ばらつきと、プローブ光の強度との相関を解析することで、微小な異物付着を正確に検出することが出来る。
【００２３】
観察用光源２１は、プローブ光および放射光の何れの波長とも異なる波長の観察光を端面９１に照射する。この観察光は、赤外域の波長であってもよいし、可視域の波長であってもよい。観察用撮像部２２は、観察用光源２１により観察光が照射された端面２１を観察する。すなわち、観察用光源２１から出力された観察光は、端面９１に照射されて反射または散乱され、光フィルタ５１を通過し、光フィルタ５２で反射され、レンズ４４を経て、観察用撮像部２２に到達する。これにより、端面２１における観察光の反射・散乱の分布が観察用撮像部２２により撮像されて、端面２１が観察用撮像部２２により観察される。
【００２４】
解析部３０は、放射光検出センサ１３による温度変化検出結果に基づいて端面９１を検査する。すなわち、放射光検出センサ１３が放射光強度を検出するものである場合には、解析部３０は、その放射光検出センサ１３により検出された放射光強度に基づいて端面９１における異物の有無を検査する。また、放射光検出センサ１３が放射光強度分布を検出するものである場合には、解析部３０は、その放射光検出センサ１３により検出された放射光強度分布に基づいて端面９１における異物の有無および位置を検査する。また、解析部３０は、観察用撮像部２２による端面９１の観察結果に基づいて、端面９１へのプローブ光の照射の位置を確認する。
【００２５】
光フィルタ５１は、プローブ光および観察光を透過させ、放射光を反射させる。また、光フィルタ５２は、プローブ光を透過させ、観察光を反射させる。なお、光フィルタ５１は、プローブ光および放射光のうち放射光を選択的に放射光検出センサ１３に入射させる選択部として作用する。このような選択部としては、端面９１へのプローブ光の照射方向および反射方向が、放射光検出センサ１３により検出可能な放射光の到来方向とを、互いに異ならせることによってもよい。
【００２６】
次に、本実施形態に係る端面検査装置１の動作について説明するとともに、本実施形態に係る端面検査方法について説明する。この検査に際しては、プローブ光源１１およびプローブ光源１２の何れか一方が用いられる。プローブ光用光源１１またはプローブ光用光源１２から出力されたプローブ光は、端面９１を通過して光ファイバ９０に対して入射または出射するように端面９１に照射される。この端面９１へのプローブ光の照射に伴って発生する放射光の強度または分布が放射光検出センサ１３により検出される。このとき、プローブ光および放射光のうち放射光が選択的に放射光検出センサ１３により検出される。これにより端面９１の温度変化が検出される。そして、その温度変化検出結果に基づいて端面９１が解析部３０により検査される。
【００２７】
特許文献１〜５に開示された技術では、端面を撮像して得られた画像が解析されることで該端面が検査されるものであることから、光吸収や反射が小さい異物を検出することは困難であり、また、極微小な異物を検出することも困難である。これに対して、本実施形態では、端面９１へのプローブ光の照射に伴って生じる端面９１における異物の温度変化が放射光検出センサ１３により検出されて、この温度変化検出結果に基づいて端面９１が解析部３０により検査されることから、光吸収や反射が小さい異物であっても容易に検出することが可能である。また、本実施形態では、異物で生じた熱が周囲に拡散して、異物より大きな範囲で温度変化が生じるので、極微小な異物であっても容易に検出することが可能である。
【００２８】
また、本実施形態では、プローブ光および放射光の何れの波長とも異なる波長の観察光が観察用光源２１から出力されて、この観察光が端面９１に照射される。そして、この観察光が照射された端面２１が観察用撮像部２２により観察される。また、観察光が端面９１に照射されて端面９１が観察されることにより、端面９１へのプローブ光の照射の位置が確認される。これにより、より確実に端面９１の検査が行われ得る。
【００２９】
本発明は、上記実施形態に限定されるものではなく、種々の変形が可能である。例えば、本発明に係る端面検査方法または端面検査装置による検査の対象である光学部品は、光ファイバに限られるものではなく、平面導波路であってもよいし、レンズ、ミラー、フィルタ、等であってもよい。
【図面の簡単な説明】
【００３０】
【図１】本実施形態に係る端面検査装置１の構成を示す図である。
【符号の説明】
【００３１】
１…端面検査装置、１１，１２…プローブ光用光源、１３…放射光検出センサ、２１…観察用光源、２２…観察用撮像部、３０…解析部、４１〜４４…レンズ、５１，５２…光フィルタ、９０…光学部品（光ファイバ）、９１…端面。
【図１】
2009128252.tif 000003